(57)【要約】【課題】背凭れ部を傾倒させた場合にも、背凭れ部の傾倒の前後で被施療者とリモートコントローラとの距離が殆ど変化せず、背凭れ部の傾倒前、傾倒後の何れにおいても、被施療者にマッサージ機の操作を円滑に行わせることができるマッサージ機を提供する。【解決手段】マッサージ機１の背凭れ部６の側部に、湾曲自在なフレキシブルアーム２の一端を枢着し、このフレキシブルアーム２の他端に、このマッサージ機１を操作するためのリモートコントローラ３を設ける。背凭れ部６を後方へ傾倒させたときに、背凭れ部６とリモートコントローラ３との相対距離が変化することがなく、被施療者にとって、マッサージ機１を操作しやすい状態が保たれる。【選択図】　図１
2004033361.tif 000002
【特許請求の範囲】
【請求項１】
座部と、該座部に対して傾倒することが可能な背凭れ部と、被施療者の操作を受け付けるリモートコントローラとを備える椅子型のマッサージ機において、
前記リモートコントローラを、前記背凭れ部に連結して支持する連結支持部を備えることを特徴とするマッサージ機。
【請求項２】
前記連結支持部は、前記リモートコントローラと前記背凭れ部との相対的な位置を変化させることが可能であるように構成されていることを特徴とする請求項１に記載のマッサージ機。
【請求項３】
前記連結支持部は、湾曲することが可能なフレキシブルアームであることを特徴とする請求項２に記載のマッサージ機。
【請求項４】
前記フレキシブルアームは、一端が前記背凭れ部に枢着されていることを特徴とする請求項３に記載のマッサージ機。
【請求項５】
前記連結支持部は、一端が前記背凭れ部に枢着されている棒状部材であることを特徴とする請求項２に記載のマッサージ機。
【請求項６】
座部と、該座部に対して傾倒することが可能な背凭れ部と、被施療者の操作を受け付けるリモートコントローラと、該リモートコントローラを着脱する着脱部とを備える椅子型のマッサージ機において、
前記着脱部を、前記背凭れ部に連結して支持する連結支持部を備えることを特徴とするマッサージ機。
【請求項７】
前記連結支持部は、前記着脱部と前記背凭れ部との相対的な位置を変化させることが可能であるように構成されていることを特徴とする請求項６に記載のマッサージ機。
【請求項８】
前記連結支持部は、湾曲することが可能なフレキシブルアームであることを特徴とする請求項７に記載のマッサージ機。
【請求項９】
前記フレキシブルアームは、一端が前記背凭れ部に枢着されていることを特徴とする請求項８に記載のマッサージ機。
【請求項１０】
前記連結支持部は、一端が前記背凭れ部に枢着されている棒状部材であることを特徴とする請求項７に記載のマッサージ機。
【発明の詳細な説明】
【０００１】
【発明の属する技術分野】
本発明は、被施療者の身体を施療するマッサージ機に関する。
【０００２】
【従来の技術】
昨今、椅子型のマッサージ機が広く普及している。図９は、この種のマッサージ機の構成の一例を示す斜視図である。図９に示すように、椅子型のマッサージ機１０１は、座部１０２と、背凭れ部１０３とから主として構成されている。座部１０２の両側方には、肘掛け部１０４が設けられている。また、背凭れ部１０３の内部には、図示しないマッサージ機構が設けられている。被施療者は、座部１０２に着座し、肘掛け部１０４を腕置きとして用いて、マッサージ機１０１を使用する。また、背凭れ部１０３の下端部は、座部１０２の後部で回動自在に枢支されており、背凭れ部１０３をリクライニングさせることができるようになっている。
【０００３】
このようなマッサージ機１０１には、被施療者からの操作を受け付けるリモートコントローラ１０５が設けられている。このリモートコントローラ１０５は、図９に示すように、肘掛け部１０４にフレキシブルアーム１０６を介して連結された着脱台１０７に着脱自在とされている。フレキシブルアーム１０６は、如何なる方向へでも湾曲することが可能な構造であるため、被施療者は、マッサージ機１０１に着座した状態で、操作がしやすい位置に着脱台１０７を移動させ、リモートコントローラ１０５をこの着脱台１０７に装着したまま、マッサージ機１０１を操作することができる。また、被施療者は、リモートコントローラ１０５を着脱台１０７から取り外し、リモートコントローラ１０５を手にとって、マッサージ機１０１を操作することもできる。
【０００４】
また、図９に示したマッサージ機と異なる構成のマッサージ機として、リモートコントローラの着脱台が、肘掛け部の下面に面した座部の側端上面に固定されているもの等が存在する。
【０００５】
【発明が解決しようとする課題】
しかしながら、上述した如き従来のマッサージ機にあっては、肘掛け部又は座部に着脱台が連結されているため、リモートコントローラを着脱台に載置した状態で、マッサージ機の背凭れ部を後方へ傾倒（リクライニング）させた場合に、背凭れ部の傾倒の前後において、被施療者とリモートコントローラとの距離が変化し、例えば、背凭れ部の傾倒前では、被施療者からリモートコントローラへ手が届く状態であっても、背凭れ部の傾倒後では、背凭れ部に上半身を保持された状態の被施療者からリモートコントローラへ手が届かず、マッサージ機を操作するために、被施療者が身体を起こす必要があったり、又は被施療者がリモートコントローラへ手が届いたとしても、被施療者からリモートコントローラまでの距離が大きすぎて、リモートコントローラによる操作が困難なこともある等、マッサージ機の操作に煩雑な手間を要することがあった。
【０００６】
本発明は斯かる事情に鑑みてなされたものであり、背凭れ部を傾倒させた場合にも、背凭れ部の傾倒の前後で被施療者とリモートコントローラとの距離が殆ど変化せず、背凭れ部の傾倒前、傾倒後の何れにおいても、被施療者にマッサージ機の操作を円滑に行わせることができるマッサージ機を提供することを目的とする。
【０００７】
【課題を解決するための手段】
本発明に係るマッサージ機は、座部と、該座部に対して傾倒することが可能な背凭れ部と、被施療者の操作を受け付けるリモートコントローラとを備える椅子型のマッサージ機において、前記リモートコントローラを、前記背凭れ部に連結して支持する連結支持部を備えることを特徴とする。
【０００８】
本発明に係るマッサージ機にあっては、リモートコントローラが連結支持部によって背凭れ部に連結されて支持されているので、背凭れ部が前後に傾倒した場合に、リモートコントローラと背凭れ部とが一体的に移動することとなり、この結果、背凭れ部の傾倒の前後で被施療者とリモートコントローラとの距離が殆ど変化することがなくなる。従って、被施療者は、背凭れ部の傾倒前、傾倒後の何れにおいても、マッサージ機の操作を円滑に行うことができる。
【０００９】
また、上記発明においては、前記連結支持部が、前記リモートコントローラと前記背凭れ部との相対的な位置を変化させることが可能であるようにように構成されていることが望ましい。
【００１０】
これにより、被施療者は、マッサージ機に着座した状態で、操作しやすい位置にリモートコントローラを移動させることができ、より一層マッサージ機の操作を円滑に行うことができる。
【００１１】
また、上記発明においては、前記連結支持部を、湾曲することが可能なフレキシブルアームとした構成とすることができる。
【００１２】
これにより、フレキシブルアームが湾曲することが可能な範囲内で、リモートコントローラをどのような位置にでも移動することができるので、被施療者が所望する位置に確実にリモートコントローラを位置させることができる。
【００１３】
また、この場合においては、前記フレキシブルアームの一端が、前記背凭れ部に枢着されている構成とすることもできる。
【００１４】
これにより、更にリモートコントローラの可動範囲が増し、被施療者が所望する位置に、より一層確実にリモートコントローラを位置させることができる。
【００１５】
また、上記発明においては、前記連結支持部を、その一端が前記背凭れ部に枢着されている棒状部材とした構成とすることもできる。
【００１６】
これにより、棒状部材が回動する範囲内で、リモートコントローラを移動させることができるので、被施療者が所望する位置にリモートコントローラを位置させることができる。
【００１７】
また、本発明に係るマッサージ機は、座部と、該座部に対して傾倒することが可能な背凭れ部と、被施療者の操作を受け付けるリモートコントローラと、該リモートコントローラを着脱する着脱部とを備える椅子型のマッサージ機において、前記着脱部を、前記背凭れ部に連結して支持する連結支持部を備えることを特徴とする。
【００１８】
本発明に係るマッサージ機にあっては、着脱部が連結支持部によって背凭れ部に連結されて支持されているので、背凭れ部が前後に傾倒した場合に、着脱部と背凭れ部とが一体的に移動することとなり、この結果、背凭れ部の傾倒の前後で被施療者と着脱部に載置されたリモートコントローラとの距離が殆ど変化することがなくなる。従って、被施療者は、背凭れ部の傾倒前、傾倒後の何れにおいても、マッサージ機の操作を円滑に行うことができる。
【００１９】
また、上記発明においては、前記連結支持部が、前記着脱部と前記背凭れ部との相対的な位置を変化させることが可能であるように構成されていることが望ましい。
【００２０】
これにより、被施療者は、マッサージ機に着座した状態で、操作しやすい位置に着脱部（及びこれに載置されたリモートコントローラ）を移動させることができ、より一層マッサージ機の操作を円滑に行うことができる。
【００２１】
また、上記発明においては、前記連結支持部を、湾曲することが可能なフレキシブルアームとした構成とすることができる。
【００２２】
これにより、フレキシブルアームが湾曲することが可能な範囲内で、着脱部（及びこれに載置されたリモートコントローラ）をどのような位置にでも移動することができるので、被施療者が所望する位置に確実に着脱部（及びリモートコントローラ）を位置させることができる。
【００２３】
また、この場合においては、前記フレキシブルアームの一端が、前記背凭れ部に枢着されている構成とすることもできる。
【００２４】
これにより、更に着脱部の可動範囲が増し、被施療者が所望する位置に、より一層確実に着脱部（及びリモートコントローラ）を位置させることができる。
【００２５】
また、上記発明においては、前記連結支持部を、その一端が前記背凭れ部に枢着されている棒状部材とした構成とすることもできる。
【００２６】
これにより、棒状部材が回動する範囲内で、着脱部を移動させることができるので、被施療者が所望する位置に着脱部（及びこれに載置されたリモートコントローラ）を位置させることができる。
【００２７】
【発明の実施の形態】
以下、本発明の実施の形態について図面を参照しながら説明する。
【００２８】
（実施の形態１）
図１は、本発明の実施の形態１に係るマッサージ機の構成を示す斜視図である。図１に示す如く、本実施の形態１に係るマッサージ機１は、座部５，背凭れ部６，及びフットレスト７から主として構成されている。座部５は、水平配置された棒状の脚部５ａをその下部両側に夫々有する基台５ｂの上部に、クッション部５ｃが配されて構成されている。クッション部５ｃは、ウレタンフォーム，スポンジ，又は発泡スチロール製の内装材（図示せず）が基台５ｂの上面に載置されており、更にこれをポリエステル製の起毛トリコット，合成皮革，又は天然皮革等からなる外装材にて覆って構成されている。
【００２９】
座部５の上部前側には、被施療者の足首及び脹脛をマッサージするためのフットレスト７の上端部が枢着されている。これにより、フットレスト７は、その上端部を中心にして前後に回動可能とされている。
【００３０】
更に座部５の後部には、背凭れ部６が設けられている。背凭れ部６は、被施療者の上半身を支持すべく、一般的な体格の成人がマッサージ機１に着座した際に、該成人の身体の一部がその外部にはみ出ない程度の大きさとされており、前面視略長方形をなしている。背凭れ部６の下端部は、座部５の後部に横方向の枢軸によって枢支されており、この枢軸を中心に背凭れ部６が回動することにより、前後にリクライニングが可能とされている。また背凭れ部６の両側部には、基台５ｂに固定支持された肘掛け部５ｄが夫々設けられている。この肘掛け部５ｄは、湾曲した略棒状をなしており、背凭れ部６の両側部から前方へ延びていて、被施療者がマッサージ機１に着座したときに、肘置きとして用いることができるようになっている。
【００３１】
背凭れ部６の内部には、マッサージ機構８が設けられている。かかるマッサージ機構８の構成については、例えば特開２０００−３５０７５６号公報にその詳細が記載されているので、ここではその説明を省略する。
【００３２】
背凭れ部６の側面の内、被施療者がマッサージ機１に着座したときの被施療者の右手側（以下、こちら側を右とし、この反対側を左とする。）の側面の長手方向略中央部には、フレキシブルアーム（連結支持部）２の一端が枢着されている。また、フレキシブルアーム２の他端には、リモートコントローラ３が固着されている。このフレキシブルアーム２は、如何なる方向へでも湾曲することが可能な構造であり、これによってリモートコントローラ３を、フレキシブルアーム２の湾曲可能な範囲内で、如何なる位置にでも移動せしめることができ、またこの状態を保持することが可能である。
【００３３】
リモートコントローラ３は、複数の操作ボタン（図示せず）を有しており、被施療者の操作を受け付けることができるようになっている。このリモートコントローラ３は、座部５又は背凭れ部６に内蔵されている制御部（図示せず）と信号線によって接続されており、被施療者からリモートコントローラ３に与えられた動作指示を示す電気信号が、前記制御部に与えられるようになっている。この信号線は、フレキシブルアーム２の内部を挿通されており、外部に露出されていない。
【００３４】
図２〜４は、本発明の実施の形態１に係るマッサージ機１の各種の使用状態を示す側面図である。被施療者は、マッサージ機１に着座し、リモートコントローラ３を操作しやすい位置に移動させる。このとき、フレキシブルアーム２が湾曲し、及び／又は、フレキシブルアーム２が背凭れ部６との接続部分を中心として回動することにより、リモートコントローラ３を被施療者の所望する位置へ移動させることができる。
【００３５】
図２に示すマッサージ機１の状態が、リモートコントローラ３が、被施療者にとって操作しやすい位置にある状態と仮定する。図３は、図２に示したマッサージ機１の背凭れ部６を後方へ傾倒させた状態を示している。図３に示すように、図２に示した状態から背凭れ部６を後方へ傾倒させた場合、リモートコントローラ３は、フレキシブルアーム２によって背凭れ部６に連結されているので、背凭れ部６と一体的に移動する。即ち、背凭れ部６の傾倒の前後において、背凭れ部６と、リモートコントローラ３との相対的な位置は変化することがない。従って、背凭れ部６と被施療者の上半身との相対的な位置関係は、背凭れ部６の傾倒の前後で殆ど変化していないため、背凭れ部６の傾倒の後においても依然として、被施療者がリモートコントローラ３を操作しやすい状態は保たれる。
【００３６】
また、図４は、図３に示したマッサージ機１のリモートコントローラ３を移動させた状態を示している。図４に示すように、背凭れ部６を傾倒させた後にも、フレキシブルアーム２を湾曲させ、及び／又は、フレキシブルアーム２を回動させることにより、リモートコントローラ３の位置を調節することができる。
【００３７】
（実施の形態２）
図５は、本発明の実施の形態２に係るマッサージ機の構成を示す斜視図であり、図６〜８は、本発明の実施の形態２に係るマッサージ機の各種の使用状態を示す側面図である。
【００３８】
図５〜８に示すように、本発明の実施の形態２に係るマッサージ機１０は、背凭れ部６の右側面に一端が枢着されたフレキシブルアーム１１の他端に、リモートコントローラ１２を着脱することが可能な着脱台（着脱部）１３が設けられている。リモートコントローラ１２は、信号線を内部に有するケーブル１４によって背凭れ部６又は座部５に接続されており、被施療者から与えられた動作指示に応じた電気信号を、背凭れ部６又は座部５に内蔵される制御部（図示せず）に与えることができるようになっている。
【００３９】
また、被施療者は、リモートコントローラ１２を着脱台１３に載置した状態で用いることもできるし、リモートコントローラ１２を着脱台１３から取り外し、手に取った状態で用いることもできる。
【００４０】
なお、本実施の形態２に係るマッサージ機１０のその他の構成については、実施の形態１に係るマッサージ機１の構成と同様であるので、同符号を付し、その説明を省略する。
【００４１】
このような本実施の形態２に係るマッサージ機１０においては、図６，７に示すように、背凭れ部６を傾倒させる前後において、背凭れ部６と、着脱台１３との相対的な位置は変化することがない。よって、着脱台１３にリモートコントローラ１２を取り付けた状態では、一旦着脱台１３を、被施療者のリモートコントローラ１２の操作に適した位置に配した後に、背凭れ部６を傾倒させた場合であっても、被施療者がリモートコントローラ３を操作しやすい状態は保たれる。
【００４２】
更に、図８に示すように、背凭れ部６を傾倒させた後にも、リモートコントローラ１２の位置を調節することができる。
【００４３】
なお、実施の形態１，２においては、リモートコントローラ又は着脱台を、フレキシブルアームによって背凭れ部に連結させる構成について述べたが、これに限定するものではなく、例えば、背凭れ部の側部に一端が枢着された金属製の棒によって、リモートコントローラ又は着脱台を背凭れ部に連結する構成であってもよい。
【００４４】
【発明の効果】
以上詳述した如く、本発明に係るマッサージ機によれば、リモートコントローラ又は着脱部を、前記背凭れ部に連結して支持する連結支持部を備えることにより、背凭れ部を傾倒させた場合にも、背凭れ部の傾倒の前後で被施療者とリモートコントローラとの距離が殆ど変化せず、背凭れ部の傾倒前、傾倒後の何れにおいても、被施療者にマッサージ機の操作を円滑に行わせることができる。
【図面の簡単な説明】
【図１】本発明の実施の形態１に係るマッサージ機の構成を示す斜視図である。
【図２】本発明の実施の形態１に係るマッサージ機の使用状態の一例を示す側面図である。
【図３】本発明の実施の形態１に係るマッサージ機の使用状態の一例を示す側面図である。
【図４】本発明の実施の形態１に係るマッサージ機の使用状態の一例を示す側面図である。
【図５】本発明の実施の形態２に係るマッサージ機の構成を示す斜視図である。
【図６】本発明の実施の形態２に係るマッサージ機の使用状態の一例を示す側面図である。
【図７】本発明の実施の形態２に係るマッサージ機の使用状態の一例を示す側面図である。
【図８】本発明の実施の形態２に係るマッサージ機の使用状態の一例を示す側面図である。
【図９】従来のマッサージ機の構成の一例を示す斜視図である。
【符号の説明】
１，１０　マッサージ機
２，１１　フレキシブルアーム（連結支持部）
３，１２　リモートコントローラ
５　座部
５ａ　脚部
５ｂ　基台
５ｃ　クッション部
５ｄ　肘掛け部
６　背凭れ部
７　フットレスト
８　マッサージ機構
１０　マッサージ機
１１　フレキシブルアーム
１２　リモートコントローラ
１３　着脱台（着脱部）
１４　ケーブル
【図１】
2004033361.tif 000003
【図２】
2004033361.tif 000004
【図３】
2004033361.tif 000005
【図４】
2004033361.tif 000006
【図５】
2004033361.tif 000007
【図６】
2004033361.tif 000008
【図７】
2004033361.tif 000009
【図８】
2004033361.tif 000010
【図９】
2004033361.tif 000011